(57)【要約】【課題】  人体の形状に沿って変形することができ、特に、首部に対して密着性が高い掛布団を提供する。【解決手段】  長手方向に延びる縦キルト線２，２，…がジグザグ状に施されるとともに、短手方向に延びる４本の横キルト線５，５，…が直線状に施された掛布団１であって、上記縦キルト線２，２，…が、掛布団の長手方向に走る中心線４に対して左右対称であるとともに、４本の横キルト線５，５，…と４つの変曲点３，３，…において交わっている掛布団１を用いる。【選択図】        図１
0003106784.tif 000002
【実用新案登録請求の範囲】
【請求項１】
掛布団の長手方向に延びる縦キルト線が、ジグザグ状に施されたことを特徴とする掛布団。
【請求項２】
上記縦キルト線において、変曲点の数が４であることを特徴とする請求項１記載の掛布団。
【請求項３】
上記縦キルト線において、隣り合う変曲点の間隔が長手方向に対して等しいことを特徴とする請求項１または２記載の掛布団。
【請求項４】
上記縦キルト線の数が４以上であることを特徴とする請求項１ないし３のいずれかに記載の掛布団。
【請求項５】
上記縦キルト線が、掛布団の長手方向に走る中心線に対して左右対称であることを特徴とする請求項１ないし４のいずれかに記載の掛布団。
【請求項６】
掛布団の短手方向に延びる横キルト線が、直線状に施されたことを特徴とする請求項１ないし５のいずれかに記載の掛布団。
【請求項７】
上記横キルト線の数が４であることを特徴とする請求項１ないし６のいずれかに記載の掛布団。
【請求項８】
上記横キルト線において、隣り合う横キルト線の間隔が長手方向に対して等しいことを特徴とする請求項１ないし７のいずれかに記載の掛布団。
【請求項９】
上記横キルト線と上記縦キルト線とが変曲点において交わることを特徴とする請求項１ないし８のいずれかに記載の掛布団。
【考案の詳細な説明】
【技術分野】
【０００１】
本考案は、人体との密着性に優れた掛布団に関するものである。
【背景技術】
【０００２】
通常の掛布団を人体に掛けた場合、掛布団は人体の形状に沿って屈曲しようとはするが、人体に密着することができず、掛布団と人体との間において隙間が生じるという現象があった。この現象は、人体の形状が複雑な曲線であり、掛布団がこの人体の形状に沿って完全に変形することができないため、生じるものである。
このような隙間が生じると、掛布団の端部における開口部から、外気が掛布団内に流入するため、就寝中の人体の温度を冷やして安眠を妨げるという問題があった。特に、この開口部は、掛布団から外部に飛び出ている首部において形成されやすい。
【０００３】
このような問題を解決するため、従来、キルト加工が施された掛布団であって、曲線状に形成されたキルト線のところで屈曲が容易である掛布団が提案されている（例えば、特許文献１参照。）。この掛布団によれば、掛布団を人体に掛けた場合でも、掛布団が容易に変形して、足元部および両腕部を完全に包み込むことが可能であるとされている。
【特許文献１】特開２００３−３３９５０１号公報
【考案の開示】
【考案が解決しようとする課題】
【０００４】
しかしながら、特許文献１にかかる掛布団にあっては、図６に示すように、キルト線の形状が掛布団２０の中央を中心とした単純な対称形状であるため、複雑な曲線を有する人体の形状に沿って完全に変形することができず、特に、掛布団２０から外部に飛び出ている首部１１において、隙間が生じるという問題があった。
【０００５】
本考案は、上記従来技術の問題点に鑑み、人体の形状に沿って変形することができ、特に、首部に対して優れた密着性を示す掛布団を提供することを目的とする。
【課題を解決するための手段】
【０００６】
かかる課題を解決するため、
請求項１にかかる考案は、掛布団の長手方向に延びる縦キルト線が、ジグザグ状に施されたことを特徴とする掛布団である。
【０００７】
請求項２にかかる考案は、上記縦キルト線において、変曲点の数が４であることを特徴とする請求項１記載の掛布団である。
【０００８】
請求項３にかかる考案は、上記縦キルト線において、隣り合う変曲点の間隔が長手方向に対して等しいことを特徴とする請求項１または２記載の掛布団である。
【０００９】
請求項４にかかる考案は、上記縦キルト線の数が４以上であることを特徴とする請求項１ないし３のいずれかに記載の掛布団である。
【００１０】
請求項５にかかる考案は、上記縦キルト線が、掛布団の長手方向に走る中心線に対して左右対称であることを特徴とする請求項１ないし４のいずれかに記載の掛布団である。
【００１１】
請求項６にかかる考案は、掛布団の短手方向に延びる横キルト線が、直線状に施されたことを特徴とする請求項１ないし５のいずれかに記載の掛布団である。
【００１２】
請求項７にかかる考案は、上記横キルト線の数が４であることを特徴とする請求項１ないし６のいずれかに記載の掛布団である。
【００１３】
請求項８にかかる考案は、上記横キルト線において、隣り合う横キルト線の間隔が長手方向に対して等しいことを特徴とする請求項１ないし７のいずれかに記載の掛布団である。
【００１４】
請求項９にかかる考案は、上記横キルト線と上記縦キルト線とが変曲点において交わることを特徴とする請求項１ないし８のいずれかに記載の掛布団である。
【考案の効果】
【００１５】
本考案の掛布団によれば、人体の形状に対応して施されたキルト線において屈曲して変形することが容易であるため、この掛布団を人体に掛けた際、掛布団が人体に密着することができ、特に、首部に対して優れた密着性を示すことができる。
【考案を実施するための最良の形態】
【００１６】
本考案にかかる掛布団の一実施形態を、図面に基づいて説明する。図１ないし図５において、符号１は本考案の掛布団の一例を示す。また、縦キルト線２，２，…とは、掛布団１の長手方向に沿って施されたキルト線であり、横キルト線５，５，…とは、掛布団１の短手方向に沿って施されたキルト線である。
【００１７】
先ず、本考案の掛布団１について説明する。
この例の掛布団１は長方形の形状を有するものであり、図１に示すように、長手方向の長さＢは１７５〜２２５ｃｍ、短手方向の長さＡは１２５〜１７５ｃｍ、厚さは１０〜２０ｃｍである。また、掛布団１には、キルト線が掛布団１の長手方向および短手方向に施されている。キルト線とは、布団などの寝具にキルト加工を施した際に生じる縫目のことである。
【００１８】
掛布団１の長手方向に対しては、４本の縦キルト線２，２，…が施されており、その形状はジグザグ状である。この縦キルト線２，２，…には、方向が変化する部位である変曲点３，３，…が４つずつ設けられている。隣り合う変曲点３，３，…の間隔は、長手方向に対しては等しいが、短手方向に対しては等しくない。また、縦キルト線２，２，…と掛布団の長手方向とがなす角の角度は７〜１３度であり、この角度は縦キルト線２，２，…の全てにおいて一定である。
【００１９】
このような特徴を有する４つの縦キルト線２，２，…は、掛布団１の長手方向に走る中心線４に対して左右対称であり、この中心線４付近において、隣り合う２つの縦キルト線２，２の間隔が、長手方向に沿って広がったり、狭まったりしている。なお、図１においては、変曲点３，３，…が角状に図示されているが、本発明はこれに限らず、変曲点３，３，…が多少の丸みを帯びていてもよい。また、縦キルト線２，２，…の数は、図１においては４であるが、６，８などの４以上の偶数であってもよい。
【００２０】
一方、掛布団１の短手方向に対しては、４本の横キルト線５，５，…が施されており、その形状は直線状である。この横キルト線５，５，…は、縦キルト線２，２，…と変曲点３，３，…において交わっている。また、隣り合う横キルト線５，５，…の間隔は、掛布団の長手方向に対して等しく、その間隔ｂは３５〜４５ｃｍである。
【００２１】
横キルト線５，５，…は、変曲点３，３，…により５つに分割されており、それぞれの長さは、第１の分割例では、ａ１＝３０〜４０ｃｍ、ａ２＝２５〜３５ｃｍ、ａ３＝１５〜２５ｃｍ、ａ４＝２５〜３５ｃｍ、ａ５＝３０〜４０ｃｍであり、第２の分割例では、ａ６＝２０〜３０ｃｍ、ａ７＝２５〜３５ｃｍ、ａ８＝３５〜４５ｃｍ、ａ９＝２５〜３５ｃｍ、ａ１０＝２０〜３０ｃｍである。
【００２２】
このように、縦キルト線２，２，…と横キルト線５，５，…とを施すことにより、掛布団１には、ほぼ同じ面積を有する２５個の区画が設けられる。
従って、掛布団１においては、屈曲部位となる縦キルト線２，２，…が人間の体型に対応したジグザグ状であるとともに、ほぼ同じ体積を有する２５個の区画に、中綿が均等に分散されているため、バランスがよい。
【００２３】
次に、掛布団１の製法について説明する。
この掛布団１は、内部に立体キルト加工が施された袋体と、この袋体に充填された中綿とから構成されている。
袋体の材料としては、ポリエステル繊維などが用いられる。この袋体に、立体キルト加工を施すことにより、縦キルト線２，２，…および横キルト線５，５，…を形成する。これにより、袋体には、キルト線によって区切られた複数の区画が設けられる。また、変曲点４，４，…におけるキルト線には、隣り合う区画同士が連通するように、一文字状に開いた開口部が設けられている。なお、立体キルト加工としては、特に限定されるものではなく、立て布（マチ）を介在させて表生地と裏生地とを縫着する方法や、袋体の表生地と裏生地とを直接縫合する方法などが用いられる。
【００２４】
ついで、この袋体に中綿を充填する。中綿としては、羽毛、綿、羊毛、ポリエステル繊維、ポリアクリレート繊維などが用いられる。また、充填方法としては、袋体の端部に予め形成させた開口部およびキルト線の開口部に、コンプレッサーおよび中綿用タンクと接続したパイプ（直径２．０〜２．５ｃｍ）を挿入し、中綿用タンク内の中綿を、コンプレッサーの空気圧により吹き込む方法が用いられる。この中綿の充填はキルト線により形成された区画ごとに行う。中綿の充填後、袋体の開口部を縫合することにより、本考案の掛布団１が得られる。なお、本考案は上記充填方法に限定されず、他の公知の充填方法を用いてもよい。
【００２５】
次に、本考案の掛布団１の使用形態について説明する。
一般に、仰向けに横臥している人体１０を上方から眺めると、図２に示すように、頭部および首部１１が細く、両肩部および両腕部を含む胴部１２が太く、ついで、臀部１３から足元部１４にかけた部位が細くなっている。また、両腕部、両足部には、それぞれ肘間接１５，１５、膝関節１６，１６があり、寝返りをする際の動作部位となっている。
【００２６】
上記人体１０に掛布団１を掛けた場合、掛布団１は人体の形状に沿って屈曲しようとする。
比較的に細い首部１１、臀部１３、足元部１４においては、横キルト線５，５，…が第１の分割例により分割されているため、掛布団１は屈曲した際、図３に示すように、膨らみが小さくなるように変形する。このような変形は、首部１１、臀部１３、足元部１４を包み込む上で好適である。
【００２７】
また、比較的に太い、両肩部および両腕部を含む胴部１２においては、横キルト線５，５，…が第２の分割例で分割されているため、掛布団１は屈曲した際、図４に示すように、膨らみが大きくなるように変形する。このような変形は、両肩部および両腕部を含む胴部１２を包み込む上で好適である。
さらに、肘部１５，１５、膝部１６，１６においても、横キルト線５，５，…が第２の分割例で分割されているため、掛布団１は屈曲した際、膨らみが大きくなるように変形する。このような変形は、寝返りの際に屈曲して動作部位となる肘部１５，１５、膝部１６，１６を包み込む上で好適である。
【００２８】
一方、掛布団１の４辺の内、人体１０と直接接しない辺Ｃ２，Ｃ３，Ｃ４は、図２に示すように、掛布団１が人体１０を覆っていても、キルト線における屈曲により、膨らむことなく寝床面に接している。また、首部１１および両肩部と接している辺Ｃ１においても、ジグザグ状に形成された縦キルト線２，２，…が、首部１１において中心線４に近づいているため、掛布団１がこの首部１１にとって必要な分だけ膨らむとともに、首部１１を効果的に包み込んでいる。
【００２９】
図５には、横向きになって横臥している人体１０に、本考案の掛布団１を掛けた場合の平面図を示している。この例の人体１０においては、首部１１、臀部１３が細く、両肩部、両腕部を含む胴部１２が太くなっている。また、足部は両膝関節１６，１６が曲がっているため、全体として太くなっている。
このような姿勢に対しても、図５に示すように、ジグザグ状に施された縦キルト線２，２，…が人体１０の細い部位、太い部位にそれぞれ対応しているため、掛布団１は適切に屈曲して変形し、人体１０に対して優れた密着性を示すことができる。従って、仮に、人体が掛布団１に覆われた状態で寝返りを打ったとしても、掛布団１の効果が損なわれることはない。
【００３０】
このように本考案の掛布団１を用いると、掛布団１が複雑な曲線を有する人体１０に密着することができ、特に、首部１１に対して優れた密着性を示すことができる。
なお、本考案の掛布団１にあっては、その長手方向において上下の区別があり、辺Ｃ１にあたる一端が上となり、辺Ｃ３にあたる他端が下となる。この上側に、人体１０の首部があたるように、掛布団１を使用することが好ましい。また、本明細書においては、身長が１７０ｃｍ程度の大人を対象として掛布団１を説明したが、本発明はこれに限らず、例えば、対象が１２０ｃｍ程度の小児である場合は、この小児の体型に合わせて掛布団１を設計し、作製してもよい。そのような場合であっても、本考案の掛布団１は、上述した効果が得られるものである。
【図面の簡単な説明】
【００３１】
【図１】本考案の実施形態にかかる掛布団の一例を示す概略平面図である。
【図２】本考案の実施形態にかかる掛布団とこの掛布団に覆われた仰向けに横臥している人体の一例を示す概略平面図である。
【図３】本考案の実施形態にかかる掛布団とこの掛布団に覆われた首部の一例を示す概略断面図である。
【図４】本考案の実施形態にかかる掛布団とこの掛布団に覆われた両腕部を含む胴部の一例を示す概略断面図である。
【図５】本考案の実施形態にかかる掛布団とこの掛布団に覆われた横向きに横臥している人体の一例を示す概略平面図である。
【図６】従来の掛布団とこの掛布団に覆われた首部の一例を示す概略断面図である。
【符号の説明】
【００３２】
１・・・掛布団、２・・・縦キルト線、３・・・変曲点、４・・・中心線、５・・・横キルト線
【図１】
0003106784.tif 000003
【図２】
0003106784.tif 000004
【図３】
0003106784.tif 000005
【図４】
0003106784.tif 000006
【図５】
0003106784.tif 000007
【図６】
0003106784.tif 000008